(57)【要約】      （修正有）【課題】戒名等を表示した位牌又は法名碑を携帯所持しても他人に知られずに必要なときに取り出しとて拝むことができるようにした携帯御守り型位牌及び法名碑を提供する。【解決手段】牌本体１を封入する袋体２は、金糸、銀糸を織込んで織成した生地を用いて縦長８ｃｍ、横幅５ｃｍ、厚さ３ｍｍ程度の扁平薄形の袋となし、上端の開放部に飾り紐からなる止具１６を設ける。止具はストラップのように長くして首に掛けたり手に持てるようにしてもよい。又開放部には、チャックやボタン、或いはホックのような開閉具をつけることもできる。袋体２は文様や図柄を表わし、又は無地であってもよい。袋体２の素材は前記の織物の他、皮革やプラスチックのシートで形成することもできる。【選択図】図１
0003175491.tif 000002
【実用新案登録請求の範囲】
【請求項１】
戒名や俗名、法名等を表示した縦長の小板体を牌本体にして、この牌本体（１）を、人に知られずに所持し且つ出し入れ自由に収納し得るように扁平薄形の袋からなる御守り型袋体（２）に封入してなることを特徴とする携帯御守り型位牌及び法名碑。
【請求項２】
戒名や俗名、法名等を表示した縦長の小板体を牌本体にして、この牌本体（１）を、人に知られずに所持し且つ出し入れ自由に収納し得るように扁平薄形の袋からなる御守り型袋体（２）に封入し、この御守り型袋体（２）に封入される牌本体（１）の側辺に、開閉可能に且つ開いたときはスタンドとなる補助片（３）を枢設してなることを特徴とする携帯御守り型位牌及び法名碑。
【請求項３】
牌本体（１）の両側辺に観音開きに開閉する補助片（４）（５）を枢設し、この碑本体（１）を御守り型袋体（２）に封入してなることを特徴とする携帯御守り型位牌及び法名碑。
【考案の詳細な説明】
【技術分野】
【０００１】  本考案は、身内等物故者の戒名や俗名、法名を表示したものを軽量小型に形成すると共に御守り型袋に封入して携帯所持することにより他人に知られずに必要なときに礼拝できようにした携帯御守り型位牌及び法名碑に関するものである。
【背景技術】
【０００２】  戒名や法名等を表示した位牌は、家屋の仏間や仏壇に安置されて他所へは持ち出したりしないものであるが、例えば高齢等により独り身になって集団での生活を余儀なくされるような場合には身内の位牌を身近に置いて或いは身に付けて所持したいという気持が大きいものである。
しかし集団生活等では、位牌等の持ち込みや身に付けて所持するようなことを禁止することが多く、又そうでなくても他人の目に触れたりすると気まずい思いをすることがあって、位牌の扱いに困るといった問題がある。このため、位牌を軽量小型にして携帯できるようにしたものが知られている。（例えば特許文献１乃至３参照）。【０００３】
【先行技術文献】
【特許文献】
【０００４】
【特許文献１】  特許第２７８９１７５号公報
【特許文献２】  特許第２５８５１２０号公報
【特許文献３】  実用新案登録第３０９２５０５号公報
【考案の概要】
【考案が解決しようとする課題】
【０００５】  しかし、単に軽量小型にしたものでも人目に触れると直ぐにそれと分かるので、人に知られず、安心して身につけ携帯できるものが待望されていた。【０００６】  本考案は、上記に鑑みてなされたものであり、その目的とするところは、戒名や法名等を表示したものを携帯所持しても他人に知られず必要なときに取り出して礼拝できるようにした携帯御守り型位牌及び法名碑を提供することにある。
【課題を解決するための手段】
【０００７】  上記の課題を解決するために、本考案に係る携帯御守り型位牌並びに法名碑は、戒名や俗名、法名等を表示した縦長の小板体を牌本体にして、この牌本体（１）を、人に知られずに所持し且つ出し入れ自由に収納し得るように扁平薄形の袋からなる御守り型袋体（２）に封入してなるものである。【０００８】  上記の構成とすることにより、戒名や俗名、法名等を表示した位牌、法名碑を安心して携帯所持できると共に他人に知られずに必要なときに自室等で取り出して自由に拝礼することを可能にすることにより問題点を解決している。【０００９】  また、本考案に係る携帯御守り型位牌及び法名碑は、牌本体（１）の側辺に補助片（３）を開閉可能に枢設することが好ましい。【００１０】  このように補助片を設けることにより、後方へ押し開くとスタンドとして機能し簡単な操作で牌本体を台等の上に立てかけることができる。【００１１】  又本考案においては、牌本体（１）の両側辺に観音開きに開閉する補助片（４）（５）を設けることを特徴とする。【００１２】  上記の構成とすることにより補助片の内面に別の戒名等表示を施すことができ而も観音開きのため閉じれば内面の保護となり開ければスタンドとしての機能を発揮する。
【考案の効果】
【００１３】  上述のように本考案の携帯御守り型位牌及び法名碑は戒名や法名等を表示し縦長の小板体を位牌及び法名碑にして牌本体を扁平薄形の袋からなるお守り型袋体に封入することにより人に知られずに安心して自由に携帯所持し、自室等で自由になれば何時でも安心して取出して拝むことができ、従来の問題を一挙に解決することができる。
【図面の簡単な説明】
【００１４】
【図１】  本実施形態の携帯御守り型位牌及び法名碑を示すもので（ａ）は正面図、（ｂ）は背面図、（ｃ）は図（ａ）のＡ−Ａ線断面図である。
【図２】  本実施形態の位牌の一例を示すもので、（ａ）は正面図、（ｂ）は側面図、（ｃ）は平面図である。
【図３】  本実施形態の位牌のその他の実施例で、（ａ）は開いた状態の斜視図、（ｂ）は閉じた状態の斜視図である。
【図４】  本実施形態の位牌のもう一つの実施例で、（ａ）は開いた状態、（ｂ）は閉じた状態の夫々の斜視図である。
【考案を実施するための形態】
【００１５】  以下、本考案の実施例を図面について説明する。
【実施例】
【００１６】  図１乃至図４を参照して本考案に係る携帯御守り型位牌及び法名碑について実施例を説明する。【００１７】  図１は本考案に係る携帯御守り型位牌及び法名碑の全体を示し、同図において、牌本体１を封入する袋体２は、金糸、銀糸を織込んで織成した生地を用いて縦長８ｃｍ、横幅５ｃｍ、厚さ３ｍｍ程度の扁平薄形の袋となし、上端の開放部に飾り紐からなる止具６を設ける。止具はストラップのように長くして首に掛けたり手に持てるようにしてもよい。
又開放部には、チャックやボタン、或いはホックのような開閉具をつけることもできる。袋体２は文様や図柄を表わし、又は無地であってもよい。袋体２の素材は前記の織物の他、皮革やプラスチックのシートで形成することもできる。【００１８】  図２は前記の袋体２の中へ封入する牌本体であり、縦長５ｃｍ、横幅２，５ｃｍ、厚さ２，５ｍｍ程度の小板体からなり、白木や金属、プラスチックの薄板を用いて表面に戒名や俗名、法名等必要な文字、記号を印字１０する。薄板の表面は白木のまま、又は黒塗り、金色塗り、金縁等を施すとよい。【００１９】  図２の（ａ）（ｃ）に示すように、牌本体１の左右両側の下部に補助片３を蝶番のような枢着具６を用いて左右両側から後方へ回動するように枢設する。従ってこの補助片３を後方へ回動して折立てるようにするとスタンドとなって牌本体１を台座等の水平面に直立させることができる。【００２０】  このような補助片３は牌本体１の右又は左側の片側にのみ設けてもよい。【００２１】  図３に示すように牌本体１の側辺に牌本体１と同じ大きさの補助片１３を開閉可能に枢設し、補助片１３の内面に牌本体１の表示とは別の又は関連する文字や記号１１を表示し、開くとスタンドになる。【００２２】  図４は牌本体１の左右両側に本体１と縦半分の大きさの補助片４，５を観音開きに開閉するように枢設したものである。観音開きの補助片４，５の内面に所望の文字や記号１２，１３を表示する。このようにすると、観音開きの補助片４，５を閉じた時は内面の文字や記号１０，１２，１３は隠蔽され、開くと、３枚の表面が露出して夫々表面の文字や記号が露出する。又角度をつけて開くとスタンドとなり全体を直立不動に立たせることができる。【００２３】  本実施形態は、小板体からなる牌本体を御守り型袋体に封入して携帯所持し自由に持ち歩きして必要なときに取出して拝むことができるものであり、人に知られず安心できる。【００２４】  袋体２には自身の名前やその他の文字、記号等を描出してもよい。しかし中身の位牌及びこれを連想するような文字、記号等は一切表示しない。
【符号の説明】
【００２５】  １  牌本体
２  御守り型袋体
３，４，５，１３  補助片
６  枢着具
【図１】
0003175491.tif 000003
【図２】
0003175491.tif 000004
【図３】
0003175491.tif 000005
【図４】
0003175491.tif 000006